(57)【要約】【課題】  ２つのリフレッシュレートを有することができるＰＷＭ回路と、それに関連するＰＷＭ信号生成方法を提供する。【解決手段】  ＰＷＭ回路は２つのリフレッシュレートを有することができ、第１のＰＷＭ信号ジェネレーターと第２のＰＷＭ信号ジェネレーターを含んでいる。第１のＰＷＭ信号ジェネレーターと第２のＰＷＭ信号ジェネレーターは、ターゲット装置から生成された出力データに係る２つの次元において、それぞれにリフレッシュレートを制御する。ＰＷＭ信号生成方法は２つのリフレッシュレートを有することができる。方法は、第１のＰＷＭ信号を生成し、第２のＰＷＭ信号を生成し、かつ、第１のＰＷＭ信号と第２のＰＷＭ信号を使用して、ターゲット装置から生成された出力データに係る２つの次元において、それぞれにリフレッシュレートを制御する。【選択図】  図２
2013240037.tif 000002
【特許請求の範囲】
【請求項１】
２つのリフレッシュレートを有するパルス幅変調（ＰＷＭ）回路であって：
第１のＰＷＭ信号ジェネレーターと；
第２のＰＷＭ信号ジェネレーターと；を含み、
前記第１のＰＷＭ信号ジェネレーターおよび前記第２のＰＷＭ信号ジェネレーターは、ターゲット装置から生成された出力データに係る異なる次元において、それぞれに、リフレッシュレートを制御する、
ことを特徴とするＰＷＭ回路。
【請求項２】
前記ターゲット装置は照明処理デバイスであり、前記第１のＰＷＭ信号ジェネレーターおよび前記第２のＰＷＭ信号ジェネレーターは、前記異なる次元において、それぞれに、前記出力データの輝度を制御する、
請求項１に記載のＰＷＭ回路。
【請求項３】
２つのリフレッシュレートを有するパルス幅変調（ＰＷＭ）回路であって、
前記ＰＷＭ回路は、ターゲット装置において採用され、前記ターゲット装置に出力データを生成させ、前記出力データは複数のデータユニットを含んでおり、
前記ＰＷＭ回路は：
第１のＰＷＭ信号ジェネレーターと；
第２のＰＷＭ信号ジェネレーターと；を含み、
前記出力データが２つのリフレッシュレートを有するように、前記第１のＰＷＭ信号ジェネレーターは、それぞれのデータユニットの第１のパートを制御し、前記第２のＰＷＭ信号ジェネレーターは、それぞれのデータユニットの第２のパートを制御する、
ことを特徴とするＰＷＭ回路。
【請求項４】
前記第２のパートは、それぞれの前記データユニットにおける同一の位置に配置されている、
請求項３に記載のＰＷＭ回路。
【請求項５】
それぞれの前記データユニットに係る前記第２のパートの位置は、特定の対応する規則を満たす、
請求項３に記載のＰＷＭ回路。
【請求項６】
それぞれの前記データユニットに係る前記第２のパートの位置は、ランダムに決定される、
請求項３に記載のＰＷＭ回路。
【請求項７】
前記ターゲット装置は照明処理デバイスであり、かつ、前記第１のＰＷＭ信号ジェネレーターおよび前記第２のＰＷＭ信号ジェネレーターは、それぞれに、前記データユニットの輝度を制御するように構成されている、
請求項３に記載のＰＷＭ回路。
【請求項８】
前記第１のＰＷＭ信号ジェネレーターは、第１のＰＷＭ信号を生成し；前記第２のＰＷＭ信号ジェネレーターは、第２のＰＷＭ信号を生成し；前記データユニットの複数の第１のパートは、第１のＰＷＭ信号の第１のサイクルに対応し、かつ、同じ変化を示し；前記データユニットの複数の第２のパートは、第２のＰＷＭ信号の第２のサイクルに対応し、かつ、同じ変化を示す、
請求項３に記載のＰＷＭ回路。
【請求項９】
２つのリフレッシュレートを有するパルス幅変調（ＰＷＭ）信号生成方法であって：
第１のＰＷＭ信号を生成し；
第２のＰＷＭ信号を生成し；および、
前記第１のＰＷＭ信号および前記第２のＰＷＭ信号を使用して、ターゲット装置から生成された出力データに係る異なる次元において、それぞれに、リフレッシュレートを制御する、
ことを特徴とするＰＷＭ信号生成方法。
【請求項１０】
前記ターゲット装置は照明処理デバイスであり、前記第１のＰＷＭ信号および前記第２のＰＷＭ信号は、前記異なる次元において、それぞれに、前記出力データの輝度を制御するように構成されている、
請求項９に記載のＰＷＭ信号生成方法。
【請求項１１】
２つのリフレッシュレートを有するパルス幅変調（ＰＷＭ）信号生成方法であって、
前記ＰＷＭ信号生成方法は、ターゲット装置において採用され、前記ターゲット装置に出力データを生成させ、前記出力データは複数のデータユニットを含んでおり、
前記ＰＷＭ信号生成方法は：
第１のＰＷＭ信号を生成し；
第２のＰＷＭ信号を生成し；および、
前記出力データが２つのリフレッシュレートを有するように、前記第１のＰＷＭ信号によって、それぞれのデータユニットの第１のパートを制御し、前記第２のＰＷＭ信号によって、それぞれのデータユニットの第２のパートを制御する、
ことを特徴とするＰＷＭ信号生成方法。
【請求項１２】
前記第２のパートは、それぞれの前記データユニットにおける同一の位置に配置されている、
請求項１１に記載のＰＷＭ信号生成方法。
【請求項１３】
それぞれの前記データユニットに係る前記第２のパートの位置は、特定の対応する規則を満たす、
請求項１１に記載のＰＷＭ信号生成方法。
【請求項１４】
それぞれの前記データユニットに係る前記第２のパートの位置は、ランダムに決定される、
請求項１１に記載のＰＷＭ信号生成方法。
【請求項１５】
前記ターゲット装置は照明処理デバイスであり、かつ、前記第１のＰＷＭ信号ジェネレーターおよび前記第２のＰＷＭ信号ジェネレーターは、それぞれに、前記データユニットの輝度を制御するように構成されている、
請求項１１に記載のＰＷＭ信号生成方法。
【請求項１６】
前記データユニットの複数の第１のパートは、第１のＰＷＭ信号の第１のサイクルに対応し、かつ、同じ変化を示し；前記データユニットの複数の第２のパートは、第２のＰＷＭ信号の第２のサイクルに対応し、かつ、同じ変化を示す、
請求項１１に記載のＰＷＭ信号生成方法。
【発明の詳細な説明】
【技術分野】
【０００１】
本発明は、パルス幅変調（ＰＷＭ）回路およびＰＷＭ信号生成方法に関する。より、特定的には、２つのフレッシュレートを有することができるＰＷＭ回路およびＰＷＭ信号生成方法に関する。
【背景技術】
【０００２】
電子機器において、パルス幅変調（ＰＷＭ）信号は、ふつう制御信号として利用されている。例えば、ＰＷＭ信号のデューティーサイクルは、ビデオフレームの輝度を制御するため、または電圧変換回路のチャージ／ディスチャージを制御するために、調整され得る。
【０００３】
図１は、従来のＰＷＭ信号を示すダイヤグラムである。異なるサイクルのＰＷＭ信号が、それぞれＰＷＭａとＰＷＭｂにより示されている。図１には、最小パルス（１ｎｓ）の例が示されており、ＰＷＭａは２５６ｎｓサイクルのＰＷＭ信号であり、ＰＷＭｂは５１２ｎｓサイクルのＰＷＭ信号である。ＰＷＭ信号がビデオフレームの輝度の制御のために使用される場合に、サイクルはリフレッシュレート（ｒｅｆｒｅｓｈ  ｒａｔｅ）を意味する。つまり、短いサイクルのＰＷＭ信号は高いリフレッシュレートを有し、反対に、長いサイクルのＰＷＭ信号は低いリフレッシュレートを有する。加えて、ＰＷＭ信号は別の特徴を有している、分解能である。図１の例では、ＰＷＭａの分解能は１／２５６であり、ＰＷＭｂの分解能は１／５１２である。すなわち、ＰＷＭｂはＰＷＭａよりも高い精度をもった制御信号であり得る。しかしながら、上述のように、ＰＷＭｂのリフレッシュレートはＰＷＭａのリフレッシュレートよりも低い。このように、分解能はリフレッシュレートに半比例する。
【０００４】
一般的には、１次元（例えば、単一方向）に係る単一のＰＷＭ信号だけが、ＰＷＭ信号に係る現在の制御メカニズムにおいて使用されている。従って、分解能とリフレッシュレートはトレードオフの関係にあり、回路設計に対する制約となっている。
【発明の概要】
【発明が解決しようとする課題】
【０００５】
本発明の一つの目的は、２つのリフレッシュレートを有することができるＰＷＭ回路と、それに関連するＰＷＭ信号生成方法を提供することである。
【課題を解決するための手段】
【０００６】
本発明の第１の態様に従って、２つのリフレッシュレートを有することができるＰＷＭ回路が開示される。その回路は、第１のＰＷＭ信号ジェネレーターと；第２のＰＷＭ信号ジェネレーターと；を含み、前記第１のＰＷＭ信号ジェネレーターおよび前記第２のＰＷＭ信号ジェネレーターは、ターゲット装置から生成された出力データに係る異なる次元において、それぞれに、リフレッシュレートを制御する。
【０００７】
本発明の第２の態様に従って、２つのリフレッシュレートを有することができるＰＷＭ回路が開示される。その回路は、出力データを生成させるためにターゲット装置において採用され、前記出力データは複数のデータユニットを含んでいる。前記ＰＷＭ回路は：第１のＰＷＭ信号ジェネレーターと第２のＰＷＭ信号ジェネレーターとを含み；前記第１のＰＷＭ信号ジェネレーターは、それぞれのデータユニットの第１のパートを制御し、前記第２のＰＷＭ信号ジェネレーターは、それぞれのデータユニットの第２のパートを制御し、従って、前記出力データは２つのリフレッシュレートを有する。
【０００８】
本発明の第３の態様に従って、２つのリフレッシュレートを有することができるＰＷＭ信号生成方法が開示される。そのＰＷＭ信号生成方法は、第１のＰＷＭ信号を生成し；第２のＰＷＭ信号を生成し；かつ、前記第１のＰＷＭ信号および前記第２のＰＷＭ信号を使用して、ターゲット装置から生成された出力データに係る異なる次元において、それぞれに、リフレッシュレートを制御する。
【０００９】
本発明の第４の態様に従って、２つのリフレッシュレートを有することができるＰＷＭ信号生成方法が開示される。そのＰＷＭ信号生成方法は、出力データを生成するためにターゲット装置において採用され、前記出力データは複数のデータユニットを含んでいる。前記ＰＷＭ信号生成方法は：第１のＰＷＭ信号を生成し；第２のＰＷＭ信号を生成し；かつ、前記第１のＰＷＭ信号によって、それぞれのデータユニットの第１のパートを制御し、前記第２のＰＷＭ信号によって、それぞれのデータユニットの第２のパートを制御し、従って、前記出力データが２つのリフレッシュレートを有する。
【００１０】
当業者であれば、後続の種々の図や絵を使って説明される好適な実施例に係る詳細な記載を読めば、本発明に係るこれらの及び他の目的は疑いなく明らかになるであろう。
【図面の簡単な説明】
【００１１】
【図１】図１は、従来のＰＷＭ信号を示すダイヤグラムである。
【図２】図２は、本発明の実施例に従って、ＰＷＭ回路のブロックダイヤグラムを示している。
【図３】図３は、本発明の実施例に従って、ＰＷＭ回路のフレーム処理を示すダイヤグラムである。
【図４】図４は、本発明の実施例に従って、ＰＷＭ回路のフレーム処理を示すダイヤグラムである。
【図５】図５は、本発明の実施例に従って、ＰＷＭ回路のフレーム処理を示すダイヤグラムである。
【図６】図６は、本発明の実施例に従って、ＰＷＭ信号生成方法に係る処理を示すフローチャートである。
【図７】図７は、本発明の別の実施例に従って、ＰＷＭ信号生成方法に係る処理を示すフローチャートである。
【発明を実施するための形態】
【００１２】
明細書および特許請求の範囲の全体を通じて、特定のコンポーネントについて言及するために特定の用語が使用される。当業者であれば理解できるように、製造者は異なる名前によってそのコンポーネントについて言及することがある。本明細書等は、名前が異なるが、その機能が同じであるコンポーネントを区別することを意図するものではない。以下の記載および特許請求の範囲において、用語「含む（“ｉｎｃｌｕｄｅ”）」と「有する（”ｃｏｍｐｒｉｓｅ“）」は、オープンエンド（ｏｐｅｎ−ｅｎｄ）形式で使用されており、従って、「を含む、しかしこれらに限定されるわけではないが・・・」を意味するように解釈されるべきである。同様に、用語「接続する（”ｃｏｕｐｌｅ“）」は、間接または直接の電気的接続のどちらかを意味するように意図されたものである。従って、あるデバイスが電気的に他のデバイスに接続している場合には、その接続は、他のデバイスや接続を介した、直接の電気的接続を通じたものであるか、または間接の電気的接続を通じたものであり得る。
【００１３】
図２は、本発明の実施例に従って、ＰＷＭ回路２００のブロックダイヤグラムを示している。図２に示すように、ＰＷＭ回路２００は、第１のＰＷＭ信号ジェネレーター２０１と第２のＰＷＭ信号ジェネレーター２０３を含んでいる。第１のＰＷＭ信号ジェネレーター２０１と第２のＰＷＭ信号ジェネレーター２０３は、第１のＰＷＭ信号ＰＷＭ１と第２のＰＷＭ信号ＰＷＭ２をそれぞれ生成する。ターゲット装置２０５から生成された出力データＯＳに係る異なる次元におけるリフレッシュレートを制御するためである。
【００１４】
以降には、図３を参照して、図２におけるＰＷＭ回路２００の動作が詳細に述べられる。説明目的のために、ターゲット装置２０５として画像処理デバイスが使用されることに留意すべきである。従って、出力データＯＳは、少なくとも一つのフレーム（ｆｒａｍｅ）を含んでおり、第１のＰＷＭ信号ジェネレーター２０１と第２のＰＷＭ信号ジェネレーター２０３は、異なる次元におけるフレームの輝度を、それぞれ制御するために使用される。この場合、第１のＰＷＭ信号ジェネレーター２０１と第２のＰＷＭ信号ジェネレーター２０３は、照明処理デバイスの輝度を制御するためのコントローラーとみなすことができ、照明処理デバイスは、それぞれに応じて異なる輝度設定をもった出力データＯＳを生成する。しかしながら、このことは、本発明に係るコンセプトが、フレームまたは上述の照明処理デバイスだけに適用することができるものであることを意味するものでは決してない。当業者であれば、本発明の開示された実施例を読めば、本発明に係るコンセプトは他の電子機器に適用し得ることが容易に理解されよう。こうした代替的なデザインの全ては本発明の範囲内のものである。例えば、本発明に係るコンセプトがフレームに適用されないときは、フレームをデータ装置に置き換えることができる。
【００１５】
図３のサブダイヤグラム（ａ）を参照されたい。上述のように、出力データＯＳは少なくとも一つのフレームを含んでおり（例えば、この実施例においてはフレーム１からフレーム８）、それぞれのフレームは第１のパートＰ１と第２のパートＰ２に分割することができる。この実施例において、第１のパートＰ１と第２のパートＰ２は、フレームに係る異なるビットを表している。第１のパートＰ１の輝度は、第１のＰＷＭ信号ＰＷＭ１によって制御され、第２のパートＰ２の輝度は、第２のＰＷＭ信号ＰＷＭ２によって制御される。第１のＰＷＭ信号ＰＷＭ１と第２のＰＷＭ信号ＰＷＭ２は、それぞれに異なる次元において輝度を制御することに留意すべきである。サブダイヤグラム（ａ）に示されるように、第１のパートＰ１の輝度の変化は水平方向に示されており（スラッシュの付いた部分が輝度である）、第２のパートＰ２の輝度の変化は垂直方向に示されている（スラッシュの付いた部分が輝度である）。
【００１６】
この実施例においては、単一の第１のＰＷＭ信号ＰＷＭ１に係る単一のサイクルがそれぞれの第１のパートＰ１の少なくとも一部を制御しており、従って、フレーム１からフレーム８のそれぞれの第１のパートＰ１は同一の輝度変化を示している。例えば、フレーム１からフレーム８の第１のパートＰ１に含まれる全てのＰ１１は、第１のＰＷＭ信号ＰＷＭ１に係る高レベルに対応しており、従って明るい状況を示している。別の例では、フレーム１からフレーム８の第１のパートＰ１に含まれる全てのＰ１２は、第１のＰＷＭ信号ＰＷＭ１に係る低レベルに対応しており、従って暗い状況を示している。つまり、フレーム１からフレーム８の第１のパートＰ１は、第１のＰＷＭ信号ＰＷＭ１に係る第１のサイクルに対応しており、同じ輝度変化を示している。
【００１７】
しかしながら、第２のＰＷＭ信号ＰＷＭ２の単一のサイクルは、複数の第２のパートＰ２を制御している。例えば、フレーム１からフレーム３を含む、いくつかのフレームは、第２のＰＷＭ信号ＰＷＭ２に係る高レベルに対応しており、従って第２のパートＰ２は明るい状況である。フレーム４からフレーム８を含む、他のフレームは、第２のＰＷＭ信号ＰＷＭ２に係る低レベルに対応しており、従って第２のパートＰ２は暗い状況である。つまり、フレーム１からフレーム８に係る第２のパートＰ２から成る変化は、第２のＰＷＭ信号ＰＷＭ２の第２のサイクルに対応している。
【００１８】
上記のメカニズムにおいては、ユーザーは図３のサブダイヤグラム（ｂ）に表されたようなフレームを見るであろう。それゆえ、ユーザーから見えるフレームは、いまだに連続的なフレーム１からフレーム８である。しかしながら、これらの連続的なフレームは、従来技術において使用されるたった一つのＰＷＭ信号に代わって、２つの別個のＰＷＭ信号によって実際に制御されている。従って、ＰＷＭ回路２００は、こうしたメカニズムの下で２つの異なるリフレッシュレートを有することができる。よって、回路設計における自由度が増し、従来の設計において直面した分解能とリフレッシュレートとのトレードオフを打破することができる。
【００１９】
上記の実施例は、本発明のコンセプトを説明するのに２次元（例えば、垂直と水平方向）を使用していることに留意すべきである。しかしながら、方向の定義は、異なるメモリー配置、異なるデータ構造、または異なるプレゼンテーション手法の図に対して、変更され得る。このように、本発明のコンセプトは、同一の出力データを制御して、出力データが正常に出力されるように、そして２つの異なるリフレッシュレートを有するように、２つの異なる次元においてＰＷＭ信号を使用することであると、簡潔にまとめられる。このコンセプトに基づいたあらゆる変形例は、本発明の範囲内のものである。
【００２０】
図３に示された実施例における第２のパートＰ２は、それぞれのフレームの最後のいくつかのビットに限定されるものではないことに留意すべきである。代替的に、第２のパートＰ２は、全てのフレームにおいて共通に配置されたあらゆる位置におくことができる。さらに、それぞれのフレームの第２のパートＰ２は、特定の規則を満たしている。例えば、図４において、それぞれの第２のパートＰ２は、前のフレームまたは次のフレームと隣接した位置におかれている。異なる設計の要求事項に応じてこうした特定の規則が変更され得るので、ここにおいて、さらなる詳細は簡潔のために省略する。加えて、第２のパートＰ２の位置は、また、図５に示すようにランダムに決定することもできる。これもまた、本発明の範囲内のものである。
【００２１】
図４と図５における実施例に関して、第１のＰＷＭ信号ＰＷＭ１と第２のＰＷＭ信号ＰＷＭ２は、図３の実施例において使用されたものと少し異なる。例えば、図３の実施例において、第１のＰＷＭ信号ＰＷＭ１と第２のＰＷＭ信号ＰＷＭ２は、お互いに干渉することなく独立して動作している。しかしながら、図４と図５の実施例においては、第１のＰＷＭ信号ＰＷＭ１と第２のＰＷＭ信号ＰＷＭ２のタイミングの問題が考慮されるべきである。図４の実施例を例に挙げると、フレーム１の第２のパートＰ２の位置とフレーム２の第２のパートＰ２の位置が異なっているために、フレーム２の第２のパートＰ２の位置は、フレーム１における第１のＰＷＭ信号ＰＷＭ１によって制御されが、フレーム２における第２のＰＷＭ信号ＰＷＭ２によっても制御され得る。
【００２２】
上記の実施例に従って、図６に示されたＰＷＭ信号生成方法が得られ、方法は、以下のステップを含んでいる。
【００２３】
ステップ６０１：第１のＰＷＭ信号ＰＷＭ１を生成する
【００２４】
ステップ６０３：第２のＰＷＭ信号ＰＷＭ２を生成する
【００２５】
ステップ６０５：第１のＰＷＭ信号ＰＷＭ１と第２のＰＷＭ信号ＰＷＭ２を使用して、ターゲット装置からそれぞれ生成された出力データに係る異なる次元におけるリフレッシュレートを制御する
図３の実施例を例に挙げると、第１のＰＷＭ信号ＰＷＭ１は水平方向におけるリフレッシュレートを制御するために使用され、一方、第２のＰＷＭ信号ＰＷＭ２は垂直方向におけるリフレッシュレートを制御するために使用されている。
【００２６】
上記の典型的なＰＷＭ信号生成方法は、図７に示された別のＰＷＭ信号生成方法として簡素化され得る。方法は、以下のステップを含んでいる。
【００２７】
ステップ７０１：第１のＰＷＭ信号ＰＷＭ１を生成する
【００２８】
ステップ７０３：第２のＰＷＭ信号ＰＷＭ２を生成する
【００２９】
ステップ７０５：第１のＰＷＭ信号ＰＷＭ１によって、それぞれデータユニット（例えば、図３のフレーム１からフレーム８）の第１のパート（Ｐ１）を制御し、第２のＰＷＭ信号ＰＷＭ２によって、それぞれデータユニットの第２のパート（Ｐ２）を制御する。出力データが２つのリフレッシュレートを持てるようにである。
【００３０】
当業者であれば、上記の本発明の実施例を読めば、図６と図７に係るＰＷＭ信号生成方法本発明の動作を容易に理解されよう。ここにおいて、さらなる詳細は簡潔のために省略する。
【００３１】
上記の実施例は、２つのリフレッシュレートを有することができるＰＷＭ回路とＰＷＭ信号生成方法を提供し得る。提案されたメカニズムを使用すれば、従来の設計において単一のリフレッシュレートのために著しく制限されていた輝度の問題を回避することができる。
【００３２】
当業者であれば、本発明の開示の範囲内で、デバイスや方法に係る多くの変形例や代替案があり得ることに容易に気付くであろう。従って、上記の開示は、添付の特許請求の範囲の境界によってのみ限定されるものと理解されるべきである。
【図１】
2013240037.tif 000003
【図２】
2013240037.tif 000004
【図３】
2013240037.tif 000005
【図４】
2013240037.tif 000006
【図５】
2013240037.tif 000007
【図６】
2013240037.tif 000008
【図７】
2013240037.tif 000009